(57)【要約】      （修正有）【課題】製作材料を節約するだけでなく、組み立て操作が簡単で、全体的な強度を向上でき、多様なデザインとなり、さらに美しく見える傘骨および傘を提供する。【解決手段】中棒１、中棒に滑りでセットで接続される下巣１３、内端が下巣に接続される引き抜きバー１４、下巣上部に位置し、中棒に順にセットで置かれるばね２、中巣３、上巣５、上巣に動作可能に接続される主骨９、および、主骨の中部に動作可能に接続される支持骨１１を備え、内端が中巣に接続され、他端が引き抜きバーに接続される支持骨継ぎ手１２をさらに備え、支持骨継ぎ手から伸びる支持骨の数を２つ以上とする。【選択図】図１
0003186816.tif 000002
【実用新案登録請求の範囲】
【請求項１】
中棒、中棒に滑りでセットで接続される下巣、内端が前記下巣に接続される引き抜きバー、下巣の上部に位置し、中棒に順にセットで置かれるばね、中巣、上巣、前記上巣に動作可能に接続される主骨、および、前記主な骨の中部に動作可能に接続される支持骨を備える新型傘骨であって、
前記傘骨は、内端が中巣に接続され、他端が引き抜きバーに接続される支持骨継ぎ手をさらに備え、前記支持骨継ぎ手から伸びる支持骨の数は２つ以上であることを特徴とする新型傘骨。
【請求項２】
前記傘骨は、上巣に接続される主な骨継ぎ手をさらに備え、前記主な骨継ぎ手から伸びる主骨の数は、前記支持骨の数に対応することを特徴とする、請求項１に記載の新型傘骨。
【請求項３】
前記主な骨継ぎ手と前記主な骨継ぎ手から伸びる主骨は一体成形されることを特徴とする、請求項２に記載の新型傘骨。
【請求項４】
前記支持骨継ぎ手と前記支持骨継ぎ手から伸びる支持骨は一体成形されることを特徴とする、請求項１乃至３のいずれかに記載の新型傘骨。
【請求項５】
前記上巣と主骨は、１つの主骨が１つの上巣に対応して接続される凹溝に接続されることを特徴とする、請求項１に記載の新型傘骨。
【請求項６】
前記傘骨の各部品はすべて弾性変形材料で作られることを特徴とする、請求項４に記載の新型傘骨。
【請求項７】
前記主な骨継ぎ手から伸びる主骨の数と前記支持骨継ぎ手から伸びる支持骨の数は、すべて２つまたは３つであることを特徴とする、請求項６に記載の新型傘骨。
【請求項８】
前記主骨の中部に主骨の蝶番が設置され、前記支持骨の端部に継ぎ手が設置され、前記支持骨は継ぎ手によって主骨の蝶番に接続されることを特徴とする、請求項７に記載の新型傘骨。
【請求項９】
前記支持骨継ぎ手と引き抜きバーは、一体成形された柔軟性構造であることを特徴とする、請求項８に記載の新型傘骨。
【請求項１０】
傘骨、傘骨下部に設置される傘ハンドル、傘骨にカバーされる傘面を備える傘であって、
前記傘骨は、請求項１乃至９のいずれかの前記傘骨であることを特徴とする、傘。
【考案の詳細な説明】
【技術分野】
【０００１】
本考案は傘具製品分野に関し、具体的に新型傘骨および該傘骨が適用される傘に関する。
【背景技術】
【０００２】
傘は人の日常生活で常用される生活用品であり、その中傘骨は傘の最も重要な部分である。従来の傘の傘骨は、長骨、短骨、上継ぎ手、下継ぎ手等の部材を備える。その構造は長骨、短骨と上継ぎ手および下継ぎ手の接続端で開孔しており、長骨と短骨の開孔端は上継ぎ手、下継ぎ手の相当する溝に取り付けられ、鉄線で各孔を挿通させ、長骨、短骨は上継ぎ手と下継ぎ手に接続される。長骨と短骨の接続端は短い接続スリーブで枢支連結される。私たちの生活経験から、従来の傘の傘骨構造には欠陥が多く存在し、最も一般的なものは、接続が信頼できず、故障率が高く、使用寿命が短く、生活に不便なことである。
【０００３】
従来の傘の欠陥を克服するために、人は傘骨の構造に対していくつかの改良を行ってきた。特許文献１のように組み立てが便利な日傘用骨組が関示されており、傘中棒、傘中棒に滑りでセットで接続される下巣、内端が下巣に接続される引き抜きバー、支持骨および主骨を備える。前記引き抜きバーの外端は前記支持骨に接続され、前記支持骨の外端の継ぎ手は、前記主骨の中部に固定して設置される蝶番（ヒンジ）に動作可能に接続される。このような様々な改良は傘骨の安定強度をある程度増加させ、故障率を低下させる。しかし、その主骨と支持骨が一対一で対応することが必要であり、かつ、引き抜きバーの支持作用が必要であり、引き抜きバーが一対の主骨と支持骨に作用するだけであり、コストがよりかかり、組み立てがより煩わしく、他の主骨と支持骨がすべて単一で対応し、そのほかの主骨と支持骨に関する接続関係がなくて、傘骨の安定性も悪い。
【先行技術文献】
【特許文献】
【０００４】
【特許文献１】中国特許ＣＮ１０１６０１５２７Ｂ
【考案の概要】
【考案が解決しようとする課題】
【０００５】
上記欠陥を克服する本考案の目的は、コストがより少なく、組み立ての操作が簡単で、安定性がより強い新型傘骨を提供することである。
【０００６】
本考案の目的は該新型傘骨が適用される傘を提供することである。
【０００７】
本考案の目的は以下の技術方案によって実現することである。
【課題を解決するための手段】
【０００８】
本考案の新型傘骨は、中棒、中棒に滑りでセットで接続される下巣、内端が前記下巣に接続される引き抜きバー、下巣上部に位置し、順に中棒にセットで置かれるばね、中巣、上巣、前記上巣に動作可能に接続される主骨、前記主骨中部に動作可能に接続される支持骨を備え、前記傘骨は、内端が中巣に接続され、他端が引き抜きバーに接続される支持骨継ぎ手をさらに備え、前記支持骨継ぎ手から伸びる支持骨の数は２つ以上である。
【０００９】
本考案の新型傘骨は、中棒、中棒に滑りでセットで接続される下巣、内端が前記下巣に接続される引き抜きバー、下巣上部に位置し、順に中棒にセットで置かれるばね、中巣、上巣、前記上巣に動作可能に接続される主骨、前記主骨中部に動作可能に接続される支持骨を備え、前記傘骨は、内端が中巣に接続され、他端が引き抜きバーに接続される支持骨継ぎ手をさらに備え、前記支持骨継ぎ手から伸びる支持骨の数は２つ以上である。
【００１０】
本考案の改良として、前記傘骨は、上巣に接続される主な骨継ぎ手をさらに備え、前記主な骨継ぎ手から伸びる主骨の数は前記支持骨の数に対応する。
【００１１】
本考案のさらなる改良として、前記主な骨継ぎ手と前記主な骨継ぎ手から伸びる主骨は一体成形されている。
【００１２】
本考案のさらなる改良として、前記支持骨継ぎ手と前記支持骨継ぎ手から伸びる支持骨は、一体成形されている。
【００１３】
上記構造の基礎に、前記上巣と主骨は、１つの主骨が１つの上巣に対応して接続される凹溝に接続される。
【００１４】
さらに、前記傘骨の各部品は、弾性変形材料で作られる。
【００１５】
さらに、前記主な骨継ぎ手から伸びる主骨の数と前記支持骨継ぎ手から伸びる支持骨の数は、すべて２つまたは３つである。
【００１６】
本考案の好ましい実施形態として、前記主骨中部に主骨の蝶番が設置され、前記支持骨端部に継ぎ手が設置され、前記支持骨は継ぎ手によって主骨の蝶番に接続される。
【００１７】
本考案の他の好ましい実施形態として、前記支持骨継ぎ手と引き抜きバーは一体成形された柔軟性接続構造である。
【００１８】
傘は、傘骨、傘骨の下部に設置される傘ハンドル、傘骨にカバーされる傘面を備え、前記傘骨は上記のような前記傘骨である。
【考案の効果】
【００１９】
本考案の新型傘骨と該傘骨が適用される傘を提供する技術方案は、支持骨継ぎ手から伸びる支持骨を２または２以上設置し、主な骨継ぎ手から伸びる主骨を２または２以上設置し、かつ、主骨と支持骨の数量は対応しており、支持骨継ぎ手と主な骨継ぎ手および引き抜きバーの数量を減らすだけでなく、製作材料を節約し、組み立ての操作が簡単で、人件費を低下させる。同時に傘骨の全体的な強度をさらに大幅に向上でき、その支持骨と主骨が２つに分かれるため、多様なデザインとなり、さらに美しく見える。
【００２０】
容易に説明するために、本考案は下記のよりよい実施例および図面によって詳細を説明する。
【図面の簡単な説明】
【００２１】
【図１】本考案の新型傘骨の１つの実施例の応用構造概略図である。
【図２】本考案の新型傘骨の１つの実施例の全体的な構造概略図である。
【図３】本考案の新型傘骨のその他の実施例の応用構造概略図である。
【図４】本考案の新型傘骨のその他の実施例の全体的な構造概略図である。
【考案を実施するための形態】
【００２２】
本考案の目的、技術方案および利点をもっと明確にするために、以下に図面および実施例を組み合わせて、本考案に対してさらに詳しい説明を行う。ここに説明する具体的な実施例は、本考案を説明することに用いられるだけであり、かつ本考案を限定するためには用いられないことを理解されたい。
【００２３】
図１−４を参照すると、本考案の新型傘骨は、具体的に中棒1、中棒1に滑りでセットで接続される下巣13、内端が前記下巣13に接続される引き抜きバー14、主骨9、前記主骨9の中部に接続される支持骨11を備え、下巣13の上部に位置し、順に中棒1にセットで置かれるばね2、中巣3、上巣5、中巣3と上巣5の間に設置され、中棒1にセットで接続されるカラー4をさらに備え、中棒1の上端に設置される弾丸状の先端部6をさらに備え、前記傘骨は、内端が中巣3に接続され、他端が引き抜きバー14に接続される支持骨継ぎ手12をさらに備え、前記支持骨継ぎ手12から伸びる支持骨11の数は２つ以上であり、前記傘骨は上巣5に接続される主な骨継ぎ手7をさらに備え、前記主な骨継ぎ手7から伸びる主骨9の数は上記支持骨11の数に対応する。
【００２４】
本考案において、対応する継ぎ手から伸びる主骨9と支持骨11の数は２または２以上設置できる。傘の全体的な強度を保証するために、対応する継ぎ手から伸びる主骨9、支持骨11の数を２つまたは３つ設置することは、本考案の第２の好ましい実施形態である。図1が示す支持骨継ぎ手12から伸出する２つの支持骨11は、主な骨継ぎ手7から伸びる２つ主骨9の実施形態に対応する。図3が示すように、支持骨継ぎ手12から伸びる３つの支持骨11は、主な骨継ぎ手7から伸びる３つの主骨9の実施形態に対応する。
【００２５】
さらに、前記主な骨継ぎ手7と前記主な骨継ぎ手7から伸びる主骨9は一体成形される。前記支持骨継ぎ手12と前記支持骨継ぎ手12から伸びる支持骨11も一体成形される。製作コストを節約し、同時にその組み立てが簡単であるために、人件費が減少する。
【００２６】
さらに、前記上巣5と主骨9の他の接続方式は、１つの主骨9が１つの上巣5に対応して接続される凹溝である（図はない）。
【００２７】
さらに、前記傘骨の各部品は弾性変形材料で作られ、そのため、該傘骨の全体的な強度は向上する。
【００２８】
さらに、前記主骨9の中部に主骨の蝶番8が設置され、前記支持骨11の端部に継ぎ手10が設置され、前記支持骨11は継ぎ手10によって主骨の蝶番8に接続される。
【００２９】
さらに、前記支持骨継ぎ手12と引き抜きバー14は、一体成形された柔軟性接続構造であり、その一体成形に基づいて、傘骨の全体的な強度をさらに向上させることができる。
【００３０】
該新型傘骨が適用される傘（図はない）は、傘骨、傘骨下部に設置されるハンドル、傘骨にカバーされる傘面を備え、前記傘骨は上記のような前記傘骨を採用する。このような様々な傘骨構造の傘を採用し、特により優れた支持骨と支持骨が必要である傘に対して、例えば16以上であり、従来型の傘は十分に重く見えて、しかも自動的に開く方式に作られていないが、本考案の傘は、重量の問題を解決するだけでなくて、傘を機能的にし、便利で、同時に自動的に開くモードを実現できる。
【００３１】
上記は、本考案のよりよい実施例であるだけであり、かつ本考案を制限するためには用いられず、本考案の精神と原理範囲内で任意の修正、等価交換および改良等を行い、本考案の保護範囲にすべて含まれるべきである。
【図１】
0003186816.tif 000003
【図２】
0003186816.tif 000004
【図３】
0003186816.tif 000005
【図４】
0003186816.tif 000006